(57)【要約】【課題】防水性と防爆性とを備え、高精度の計量が可能な秤量装置を提供する。【解決手段】上ケース８０は、上面に開放開口８１１を有し、内ケース７０は、上面に、荷重支承部材４０１との間がダイアフラムで密閉された上面開口７１１と、防水防塵通気性部材で覆われた側面開口７２０と、を有し、内ケース７０の上面には、さらに、開放開口８１１から浸入した液体を防水防塵通気性部材が存在しない側面に導く誘導溝７１２を有する。上ケース８０及び下ケース６０により防爆性が確保され、計量機構４０が収められた内ケース７０の内側は防水性が保たれる。内ケース７０の側面に通気口７２０を設けているため、十分な通気口面積が確保できる。浸入した液体は、防水防塵通気性部材の存在しない内ケース側面に誘導されるため、防水防塵通気性部材の内ケース７０への貼り付けに用いた粘着剤が劣化しない。【選択図】図１
2015190961.tif 000002
【特許請求の範囲】
【請求項１】
計量機構と、前記計量機構が底面に固定された下ケースと、前記計量機構を覆って前記下ケースの底面に固定された内ケースと、前記下ケースと共に外側筐体を構成する上ケースと、を備える秤量装置であって、
前記計量機構は、秤量皿上の被計量物の荷重が伝達され、該荷重に応じて垂直方向に移動する荷重支承部材を有し、
前記内ケースは、
その上面に設けられた、前記荷重支承部材を囲み、該荷重支承部材との間がダイアフラムで密閉された上面開口と、
前記下ケースから立ち上がる側面の少なくとも一部の側面に設けられた、防水防塵通気性部材で覆われた側面開口と、
を有し、
前記上ケースは、その上面に設けられた、前記荷重支承部材への皿受け部材の結合を許容する開放開口を有し、
前記内ケースの前記上面に、さらに、前記開放開口から浸入した液体を該内ケースの特定の側面に導く誘導溝が設けられており、
前記特定の側面に導かれた前記液体が、前記防水防塵通気性部材と接触することなく、前記下ケースに流れ落ちる、
ことを特徴とする秤量装置。
【請求項２】
請求項１に記載の秤量装置であって、前記特定の側面は、前記防水防塵通気性部材が存在しない側面である、ことを特徴とする秤量装置。
【請求項３】
請求項１または２に記載の秤量装置であって、前記下ケースが、前記誘導溝によって誘導された液体を前記外側筐体の外に排出する排出口を備えることを特徴とする秤量装置。
【請求項４】
請求項１に記載の秤量装置であって、前記下ケースが、前記上ケースを、前記内ケースと接触しないように保持することを特徴とする秤量装置。
【請求項５】
請求項１に記載の秤量装置であって、前記内ケースは、前記下ケースから立ち上がる側面を四面有し、その中の少なくとも二面に前記防水防塵通気性部材で覆われた前記側面開口が設けられていることを特徴とする秤量装置。
【請求項６】
請求項５に記載の秤量装置であって、前記防水防塵通気性部材が、不織布と、該不織布の孔よりも微細な多数の孔を有する多孔質膜との複合膜から成ることを特徴とする秤量装置。
【請求項７】
請求項１に記載の秤量装置であって、前記内ケースに対向する前記上ケースの開放開口の周縁に、前記内ケースの上面との間をシールするシール部材が配置されていることを特徴とする秤量装置。
【発明の詳細な説明】
【技術分野】
【０００１】
本発明は、秤量装置に関し、防水性を備え、且つ、爆発性雰囲気の発生が予想される場所（危険場所）でも使用できる防爆性を備えたものである。
【背景技術】
【０００２】
本出願人は、下記特許文献１で防水性を備える秤量装置を提案している。
この装置は、図１３に示すように、計量機構４０が固定される下ケース１２４と、下ケース１２４に気密に組み合わされる上ケース１２１とを備えており、上ケース１２１の上面に、計量機構４０の荷重支承部材４０１との間がダイアフラム４８で密閉される開口１２２が設けられている。
ダイアフラム４８の内周縁は荷重支承部材４０１に固定され、ダイアフラム４８の外周縁は、パッキン４７と抑え板４９とに挟まれて、計量機構４０に支持された円環状部材４６の上に固定される。また、円環状部材４６は、上ケース１２１の開口１２２の周縁にネジ３１で固定される。
従って、上ケース１２１の開口１２２は、ダイアフラム４８により密閉されている。
上ケース１２１の開口１２２から露出する荷重支承部材４０１の上端には皿受け部材１１が固定され、皿受け部材１１により秤量皿１０が支持される。
【０００３】
また、この装置では、図１４に示すように、下ケース１２４の底面の一部を窪ませて傾斜面を形成し、この傾斜面の箇所に不織布５４と多孔質膜５６とを貼って通気口５０を形成している。
この通気口５０は、秤量皿１０に荷重を載せたときに、ダイアフラム４８の変形に伴って圧縮される測定空間の空気を逃がし、また、荷重が除かれたときに、ダイアフラム４８の復帰に伴って負圧となる測定空間内に外気を供給する働きをしており、この通気口５０の存在で測定空間の内外気圧差が解消され、計量誤差が防止できる。
【０００４】
また、本出願人は、下記特許文献２で防爆性を備える秤量装置を提案している。
通常仕様の秤の中にも防爆基準を満たす構造は数多く使われており、この秤量装置では、図１５に示すように、そうした既存の秤に、その底面を覆うステンレスカバー３０を取り付けて防爆化を図っている。
【先行技術文献】
【特許文献】
【０００５】
【特許文献１】特開２０１０−００８０７１号公報
【特許文献２】特開２０１２−０１３４６８号公報
【発明の概要】
【発明が解決しようとする課題】
【０００６】
しかし、特許文献１に記載された防水性の秤量装置の底部にステンレスカバーを取り付けて防爆化した場合、通気口から流通する空気の流通量が少なくなり、計量時における測定空間の内外気圧差の解消に支障が生じる虞がある。
【０００７】
本発明は、こうした事情を考慮して創案したものであり、防水性と防爆性とを備え、高精度の計量が可能な秤量装置を提供することを目的としている。
【課題を解決するための手段】
【０００８】
本発明は、計量機構と、計量機構が底面に固定された下ケースと、計量機構を覆って下ケースの底面に固定された内ケースと、下ケースと共に外側筐体を構成する上ケースと、を備える秤量装置であって、計量機構は、秤量皿上の被計量物の荷重が伝達され、荷重に応じて垂直方向に移動する荷重支承部材を有し、内ケースは、その上面に設けられた、荷重支承部材を囲み、荷重支承部材との間がダイアフラムで密閉された上面開口と、下ケースから立ち上がる側面の少なくとも一部の側面に設けられた、防水防塵通気性部材で覆われた側面開口と、を有し、上ケースは、その上面に設けられた、荷重支承部材への皿受け部材の結合を許容する開放開口を有し、内ケースの上面に、さらに、開放開口から浸入した液体を内ケースの特定の側面に導く誘導溝が設けられており、特定の側面に導かれた液体が、防水防塵通気性部材と接触することなく、下ケースに流れ落ちる、ことを特徴とする。
この秤量装置では、外側筐体を構成する上ケース及び下ケースにより防爆性が確保される。また、計量機構が収められた内ケースの内側は防水性が保たれる。内ケースの側面に通気口を設けているため、測定空間の内外気圧差の解消に足る十分な通気口面積が確保できる。上ケースの存在により、装置洗浄時等に、液体が内ケースの防水防塵通気性部材に直接掛かることが防止できる。上ケースの開放開口から浸入する液体があっても、その液体は、誘導溝に誘導されて、防水防塵通気性部材に触れることなく排出される。そのため、防水防塵通気性部材の内ケースへの貼り付けに用いた粘着剤が劣化しない。誘導溝により液体が誘導される「特定の側面」は、内ケースが側面を四面有する場合、その内の一面であっても、二以上の面であっても良い。
【０００９】
また、本発明の秤量装置では、誘導溝により、液体が、防水防塵通気性部材の存在しない側面に導かれる。
そうすることで、上ケースの開放開口から浸入した液体は、防水防塵通気性部材に触れることなく排出される。
【００１０】
また、本発明の秤量装置では、下ケースが、誘導溝によって誘導された液体を外側筐体の外に排出する排出口を備える。
そのため、液体が下ケース内に溜まることが防止できる。
【００１１】
また、本発明の秤量装置では、下ケースが、上ケースを、内ケースと接触しないように保持することが望ましい。
こうすることで、上ケースに外力が加わっても、内ケースには外力が及ばず、計量に影響しない。
【００１２】
また、本発明の秤量装置では、内ケースが、下ケースから立ち上がる側面を四面有し、その中の少なくとも二面に防水防塵通気性部材で覆われた側面開口を設けることが望ましい。
こうすることで、測定空間の内外気圧差を十分に解消可能な通気口面積が確保できる。
【００１３】
また、本発明の秤量装置では、防水防塵通気性部材を、不織布と、この不織布の孔よりも微細な多数の孔を有する多孔質膜との複合膜で形成することが望ましい。
不織布は、多孔質膜の目詰まりを防止する。
【００１４】
また、本発明の秤量装置では、内ケースに対向する上ケースの開放開口の周縁に、内ケースの上面との間をシールするシール部材を配置しても良い。
こうすることで、多量の液体が上ケースの開放開口から内ケース上面に浸入する事態を防止できる。
【発明の効果】
【００１５】
本発明の秤量装置は、防水性及び防爆性を備えると共に、広い通気口面積が確保できるため、高精度の計量が可能である。
【図面の簡単な説明】
【００１６】
【図１】本発明の実施形態に係る秤量装置の分解斜視図
【図２】図１の内ケースの平面図及び側面図
【図３】図２の内ケースの側面に防水防塵通気性部材を貼った状態を示す図
【図４】図３の防水防塵通気性部材の構成素材を示す図
【図５】図１の内ケースの上面に形成された誘導溝の断面を示す図
【図６】図１の内ケースと上ケースとの隙間を示す図
【図７】図１の下ケースの水抜き穴を示す図、
【図８】図１の秤量装置に浸入する水の排出経路を示す図
【図９】内ケースの上面に形成された誘導溝の他の例を図
【図１０】内ケースの上面及び側面に形成された誘導溝を示す図
【図１１】シール部材を配置した内ケースの上面を示す図
【図１２】内ケースと上ケースとの隙間にシール部材が配置された状態を示す図
【図１３】従来の防水秤を示す図
【図１４】従来の防水秤の通気口を示す図
【図１５】従来の防爆型秤を示す図
【発明を実施するための形態】
【００１７】
図１は、本発明の実施形態に係る秤量装置の分解斜視図である。
この装置は、計量機構４０が底面に固定された下ケース６０と、計量機構４０を覆って下ケース６０の底面に固定される内ケース７０と、下ケース６０と共に外側筐体を構成する上ケース８０とを備えている。上ケース８０、内ケース７０及び下ケース６０はステンレスで形成されている。
【００１８】
内ケース７０は、四角形状の上面７１と、下ケース６０から立ち上がる四つの側面７２と、側面７２の下端から下ケース６０の底面６１に沿って延出する固定部７３とで構成される。
上面７１には、上面開口７１１と、上面７１に漏れて来た水や溶剤等の液体を一箇所の側面側に導くＵ字状の誘導溝７１２とが形成されている。
また、四つの側面７２の内の三つには、内ケース７０の通気口を形成する側面開口７２０が形成されており、この側面開口７２０には、後述するように、防水防塵通気性部材が貼り付けられる。
【００１９】
図２は、内ケース７０の平面図及び側面図を示している。三つの側面７２１、７２２、７２３には側面開口７２０が設けられているが、側面７２４には、それが存在しない。
図３は、側面開口７２０に防水防塵通気性部材９０が貼り付けられた側面７２１、７２２、７２３を示している。
防水防塵通気性部材９０は、図４に示すように、微細な孔を多数有する多孔質膜９０２と、多孔質膜９０２の目詰まりを防ぐ不織布９０１とを複合化した複合通気部材から成り、側面開口７２０を塞ぐように粘着剤（両面接着テープ等）で内ケース７０の側面７２１、７２２、７２３に貼り付けられる。
【００２０】
上面７１の誘導溝７１２は、防水防塵通気性部材９０が貼り付けられていない側面７２４に液体を誘導する。
図５は、誘導溝７１２の位置での内ケース７０の断面を示している。この誘導溝７１２は、側面７２４に近付くほど、深さが増すように形成されている。
【００２１】
内ケース７０の上面開口７１１は、計量機構４０の荷重支承部材４０１に取り付けられたダイアフラムで密閉される。ダイアフラムの取り付け構造は、図１３で説明したものと同様であり、ダイアフラムの内周縁が荷重支承部材４０１に固定され、ダイアフラムの外周縁が、パッキンと抑え板４９とに挟まれて円環状部材４６の上に固定され、円環状部材４６が上面開口７１１の周縁にネジで固定される。
そのため、下ケース６０の底面６１に固定部７３を密着させて固定すると、計量機構４０を収納する内ケース７０内の空間は、防水性に保たれる。
【００２２】
上ケース８０は、その上面８１に、計量機構４０の荷重支承部材４０１の上端が臨む開放開口８１１を有している。荷重支承部材４０１の上端には、図１３と同様に、皿受け部材が固定され、皿受け部材により秤量皿が支持される。
また、上ケース８０の側面８２には、下ケース６０にネジ（不図示）で固定されるネジ孔８２１が設けられている。
【００２３】
下ケース６０は、内ケース７０の固定部７３及び計量機構４０が固定される四角形状の底面６１と、底面６１の各片から立ち上がる側壁とを有している。対向する一対の側壁６２には、上ケース８０のネジ孔８２１と合わせてネジ（不図示）で固定されるネジ孔６２１が設けられている。
図６では、下ケース６０に上ケース８０が固定された秤量装置の平面図を図６（ｃ）に示し、平面図のＬ−Ｌ位置での断面を図６（ａ）で示し、その一部（○で示す部分）を拡大して図６（ｂ）に示している。
図６に示すように、上ケース８０は、その上面８１と内ケース７０の上面７１との間に隙間が空くように下ケース６０に固定される。
【００２４】
また、図７（ａ）の斜視図、及び、図７（ｂ）の底面図に示すように、下ケース６０の四隅には、下ケース６０に溜まった液体を排出する排出口（水抜き穴）６３が設けられている。
この装置では、装置を洗浄したときなどに、液体が内ケース７０の通気口に設けられた防水防塵通気性部材９０に直接掛かることを、上ケース８０が防止している。
上ケース８０の開放開口８１１から浸入する液体が在っても、図８に矢印で示すように、上ケース８０の開放開口８１１から浸入した液体は、内ケース７０の誘導溝７１２に誘導されて、内ケース７０の防水防塵通気性部材９０が貼り付けられていない側面７２４に達し、この側面７２４を伝って下ケース６０に流れ落ちる。そして、下ケース６０に流れ落ちた水は、下ケース６０の水抜き穴６３から外部に排出される。
【００２５】
このように、下ケース６０と上ケース８０とは、各所に隙間を有する状態で組み合わされて防爆筐体を構成する。また、内ケース７０は、計量機構４０を収容する防水性の筐体として下ケース６０に固定される。
上ケース８０は、内ケース７０と接触しないように下ケース６０に固定されているため、上ケース８０に外力が加わっても、その力は内ケース７０に伝達されず、計量に影響を与えない。
また、上ケース８０は、装置洗浄時等に、液体が内ケース７０に設けられた防水防塵通気性部材９０に直接掛かることを防ぐ働きもしている。
【００２６】
内ケース７０の通気口は、内ケース７０の側面７２１、７２２、７２３に設けているため、計量時の測定空間の内外気圧差を十分に解消できる通気口面積が確保できる。
上ケース８０の開放開口８１１から液体が浸入しても、内ケース７０の誘導溝７１２により、防水防塵通気性部材９０が貼り付けられていない内ケース７０の側面７２４に誘導されて、この側面７２４から下ケース６０に流れ落ち、下ケース６０の水抜き穴６３を通じて外部に排出される。
【００２７】
防水防塵通気性部材９０は、内ケース７０の側面開口７２０を塞ぐために粘着剤で内ケース７０の側面７２１、７２２、７２３に貼り付けられており、水や溶剤等の液体が触れると、接着力が低下して防水防塵通気性部材９０が剥がれ落ちる虞があるが、この装置では、液体が防水防塵通気性部材９０が貼り付けられていない内ケース７０の側面７２４に誘導されるため、こうした虞がない。
また、微細な孔を多数有する多孔質膜９０２と、多孔質膜９０２の目詰まりを防ぐ不織布９０１とを複合化した複合通気部材から成る防水防塵通気性部材９０は、優れた防水・防塵機能を発揮する。
【００２８】
なお、ここで示した構成は、本発明の一例であり、本発明は、それに限定されるものではない。
ここでは、内ケース７０の三つの側面に通気口を設けているが、通気口を設ける側面の数は、二つでも一つでも良い。
また、図９に示すように、内ケース上面７１の誘導溝７１２が、上面７１に達した液体を、より多く誘導できるように、誘導溝７１２に連通する溝７１３を上面７１に複数設けるようにしても良い。また、内ケースの側面にも、上面７１の誘導溝７１２に連通する誘導溝７１５を設けても良い。
また、ここでは、上面７１の誘導溝７１２が、防水防塵通気性部材９０が貼り付けられていない側面７２４に液体を誘導するように構成したが、誘導溝が液体を誘導する側面に防水防塵通気性部材が在っても、液体と防水防塵通気性部材とが接しないように流路を設定すれば、それでも良い。
図１０では、内ケースの上面７１に井桁状の誘導溝７１４を設けるとともに、内ケースの側面にも、上面の誘導溝７１４に接続する誘導溝７１５を設けた構成を示している。この場合、上面の誘導溝７１４により側面にまで誘導された液体は、側面の誘導溝７１５に誘導されて、防水防塵通気性部材９０に接することなく下ケース６０に流れ落ちる。
【００２９】
また、図１１、図１２に示すように、内ケース７０の上面７１に対向する上ケース８０の開放開口８１１の周縁に、内ケースの上面７１との間をシールする円環状のシール部材９１を配置して、多量の液体が開放開口８１１から内ケースの上面７１に浸入するのを防止しても良い。
図１１は、シール部材９１を配置した内ケースの上面７１を示し、図１２では、上ケース８０の上面８１から見た秤量装置の平面図を図１２（ｃ）に示し、平面図のＬ−Ｌ位置での断面を図１２（ａ）で示し、その一部（○で示す部分）を拡大して図１２（ｂ）に示している。シール部材９１は、上ケース８０の上面８１と内ケース７０の上面７１との隙間塞いでいる。
【００３０】
このシール部材９１が在ることによって、開放開口８１１から内ケース７０の上面７１に浸入する液体の量が制限され、誘導溝７１２が有効に機能する。また、シール部材９１は、十分柔らかい素材で形成されるため、上ケース８０に外力が加わっても、その力は内ケース７０に伝達されない。
また、ここでは四角形状の内ケース７０、上ケース８０、下ケース６０を示したが、内ケース７０、あるいは、上ケース８０、下ケース６０の外形は、円筒状でも良い。
【産業上の利用可能性】
【００３１】
本発明の秤量装置は、防水性及び防爆性を備えると共に、高精度の計量が可能であり、危険場所等での秤量に広く利用することができる。
【符号の説明】
【００３２】
１０    秤量皿
１１    皿受け部材
３０    ステンレスカバー
３１    ネジ
４０    計量機構
４６    円環状部材
４７    パッキン
４８    ダイアフラム
４９    抑え板
５０    通気口
５４    不織布
５６    多孔質膜
６０    下ケース
６１    底面
６２    側壁
６３    水抜き穴
７０    内ケース
７１    上面
７２    内ケース側面
７３    固定部
８０    上ケース
８１    上ケース上面
８２    上ケース側面
９０    防水防塵通気性部材
９１    シール部材
１２１  上ケース
１２２  開口
１２４  下ケース
４０１  荷重支承部材
６２１  ネジ孔
７１１  上面開口
７１２  誘導溝
７１３  誘導溝
７１４  誘導溝
７１５  誘導溝
７２０  側面開口
７２１  内ケース側面
７２２  内ケース側面
７２３  内ケース側面
７２４  内ケース側面
８１１  開放開口
８２１  ネジ孔
９０１  不織布
９０２  多孔質膜
【図１】
2015190961.tif 000003
【図２】
2015190961.tif 000004
【図３】
2015190961.tif 000005
【図４】
2015190961.tif 000006
【図５】
2015190961.tif 000007
【図６】
2015190961.tif 000008
【図７】
2015190961.tif 000009
【図８】
2015190961.tif 000010
【図９】
2015190961.tif 000011
【図１０】
2015190961.tif 000012
【図１１】
2015190961.tif 000013
【図１２】
2015190961.tif 000014
【図１３】
2015190961.tif 000015
【図１４】
2015190961.tif 000016
【図１５】
2015190961.tif 000017